(57)【特許請求の範囲】
【請求項１】
一対の線路側端子と、一対の装置側端子と、前記線路側端子から前記装置側端子に通過する電流の通路に直列に挿入されたヒューズおよび抵抗器を備えた通信線の保安器において、
前記直列に挿入されたヒューズおよび抵抗器に対して並列にコンデンサが配置され、
ヒューズおよび抵抗器に並列にコンデンサが接続された一対の線路と一対の装置側端子との間に線路側から回路試験を実施するための切分回路が介挿され、
前記線路側端子と装置側端子との間には、それぞれ二極放電管が接続された
ことを特徴とする通信線の保安器。
【請求項２】
前記コンデンサの容量値は、当該保安器に要求される絶縁性能から導出される容量値以下である請求項１記載の通信線の保安器。
【発明の詳細な説明】
【０００１】
【発明の属する技術分野】
本発明は、電話回線、インターネット接続用回線、その他有線による通信用回線に接続される保安器として利用する。本発明は、ＡＤＳＬ（ａｓｙｍｍｅｔｒｉｃ  ｄｉｇｉｔａｌ  ｓｕｂｓｃｒｉｂｅｒ  ｌｉｎｅ、非対称ディジタル加入者線）の屋外ケーブルと屋内ケーブルとの接続点に利用するために開発された装置であるが、その他の保安器として広く利用することができる。本発明は、電力線との混触などにより、通信用回線に設定値を越える高い電圧または電流が到来したときに、この一対の回線間を実質的に切断するための装置に関する。
【０００２】
【従来の技術】
通信用回線には、落雷にともなう誘導電流の発生、電力線との混触などにより、予期しない高い電圧が到来することがある。このような高い電圧が直接に通信装置に入り、発生する電流により装置を破損することを防止するために、従来から放電避雷管あるいは半導体素子を利用した保安器が広く利用されている。
【０００３】
放電避雷管として三極のガス入り放電避雷管を利用し、この三つの電極を通信線の対間および接地電位との間に接続し、異常な高電圧が到来したときには、放電避雷管の三つの電極が実質的に短絡状態となり、線路対を接地電位に接続するように構成された回路が広く利用されている。このような装置は、従来から屋外線を宅内に引き込む引込点に設けられているが、近年ひろく市販されるようになり、屋内配線とインターネット用通信装置との接続点にも利用されるようになった。
【０００４】
通信線に高い電圧が到来する原因が落雷であるときには、異常な高電圧は短い時間で消滅する。しかしその原因が電力線との混触であるときには、異常な高電圧の持続時間がきわめて長くなることがある。このような場合には、短時間のうちに、例えば、有線電気通信設備施行令の１９条にて、限定されているように７Ａのヒューズもしくは、５００ｍＡで溶断する熱線輪等、通信線に直列に接続された回路を何らかの方法により自動的に遮断するように構成することが必要である。
【０００５】
このための装置として、本願出願人は、大きい異常電流が相応の時間にわたり継続するときに、回線に直列に挿入された抵抗器が発熱することを利用して、回線に直列に挿入されたヒューズを溶断するように構成された装置について特許を保有する（特許第３０９２９２６号、２０００年７月２８日登録）。
【０００６】
【発明が解決しようとする課題】
近年電話線に音声帯域外の高周波帯域にディジタル信号を重畳して伝送する方式が利用されるようになった。これは、ＡＤＳＬに代表される方式であり、一般にはｘＤＳＬ（ｘ−ｄｉｇｉｔａｌ  ｓｕｂｓｃｒｉｂｅｒ  ｌｉｎｅ）方式と呼ばれる。すなわちｘＤＳＬ方式には、ＡＤＳＬ方式のほかにＩＤＳＬ  （ＩＳＤＮ−ＤＳＬ），ＨＤＳＬ（ｈｉｇｈ  ｂｉｔ  ｒａｔｅ−ＤＳＬ），  ＳＤＳＬ（ｓｉｎｇｌｅ  ｌｉｎｅ−ＤＳＬ），  ＶＤＳＬ（ｖｅｒｙ  ｈｉｇｈ  ｂｉｔ  ｒａｔｅ−ＤＳＬ）  などの方式が知られている。
【０００７】
上記特許公報に開示された装置は、電話線の屋内への引き込み点に設けることにより、屋内装置を異常高電圧または電流から防護することができる優れた装置であるが当該装置における抵抗器には大きなサージ電流耐量が要求されるため、巻線抵抗器が使用される。したがって、この装置を装備した回線はこの装置に内在する巻線抵抗器にインダクタンスがあるため、この装置すなわち保安器を通過する音声帯域より高い（以下、音声帯域外と言う）信号帯域の伝送特性が不十分になり、使用周波数の高いｘＤＳＬ方式等への適用が制限される欠点がある。
【０００８】
このような従来の保安器の音声帯域外の信号の通過特性を図９に例示す。図９は横軸に周波数をとり、縦軸に利得をとる。図９によれば、１０ＭＨｚを越える周波数帯域については通過特性が著しく劣化していることがわかる。
【０００９】
巻線抵抗器においてインダクタンスの発生を防止したものとして、無誘導形抵抗器があり、このような無誘導抵抗器の構造としては、２つの相互逆方向に巻回された巻線を直列接続したものが公知である。しかしながら巻線を直列接続するが故に両巻線間に大きな電位差が生じ、両端に高電圧が印加される保安器用抵抗器としては両巻線間の耐圧が得にくいという欠点があった。
【００１０】
従来の無誘導形抵抗器第一例を図１０および図１２を参照して説明する。従来の無誘導形抵抗器は、図１２に示すように、互いに逆向きに巻かれた二本の抵抗線Ｒが直列に接続された構成である。ヒューズＦを抵抗線Ｒを巻くときの中心軸とし、配線端子Ｔ１を始点として配線端子Ｔ３方向に第一巻回部として時計回りに抵抗線Ｒが巻かれ、抵抗線ＲはポイントＰ１からいったん配線端子Ｔ４側に戻り、ここから今度は第二巻回部として配線端子Ｔ３方向に反時計回りに巻かれるが絶縁耐圧上の欠点を有していた。
【００１１】
従来の他の形式である無誘導形抵抗器の第二例を図１１および図１２を参照して説明する。従来の無誘導形抵抗器は、図１２に示すように、互いに逆向きに巻かれた二本の抵抗線Ｒが直列に接続された構成である。ヒューズＦを抵抗線Ｒを巻くときの中心軸とし、配線端子Ｔ１を始点とする第一巻回部として配線端子Ｔ３方向に時計回りに抵抗線Ｒが巻かれ、配線端子Ｔ３側に達すると今度は第二巻回部として配線端子Ｔ３方向からみて配線端子Ｔ４方向に反時計回りに抵抗線Ｒが巻かれる。
【００１２】
図１２における二重線は第一巻回部と第二巻回部の磁路が共通なことを示すためのものである。また、各巻線に付した黒点は巻回の始めの部分を表し、巻線に並行して付した矢印は巻回の始めの側から電流が流入したときに発生する磁界（磁力）の方向を示している。
【００１３】
図１２から明らかなように、配線端子Ｔ１から流入した電流は第一巻回部の初めの側から流入し、次いで、第二巻回部の初めの側に流入する。しかし、両巻回部の巻回方向が相互に逆になっているため、当該電流によって、両巻線の発生する磁力の方向は各々逆となり、磁路が共通であるので、両者は打消され、その結果、インダクタンスの発生が抑制される。
【００１４】
このような従来の無誘導形抵抗器の第一例では、配線端子Ｔ１と配線端子Ｔ３との間に印加された電圧は第一巻回部と第二巻回部とで分圧され、両巻回部間には印加された電圧の１／２の電位差が生じる。
【００１５】
また、従来の無誘導形抵抗器の第二例では、図１１から明らかなように、配線端子Ｔ１と配線端子Ｔ２とが隣接して、配置されるため、配線端子Ｔ１と配線端子Ｔ２との近傍の第一巻回部と第二巻回部との間には抵抗器すなわち配線端子Ｔ１と配線端子Ｔ２との間に印加される電圧に近い電位差が生じる。
【００１６】
すなわち従来の無誘導形抵抗器では、第一巻回部と第二巻回部との間に抵抗器への印加電圧の１／２以上の電位差が生じ、抵抗器に瞬時ではあるが高電圧が印加される保安器では両巻線間の絶縁耐力の実現が困難であった。
【００１７】
本発明は、このような背景に行われたものであって、通常の通信状態の伝送周波数帯域が、ｘＤＳＬ方式の信号に対して十分な通過特性を有する保安器を提供することを目的とする。本発明はこの保安器に装着するためのヒューズおよび巻線抵抗器の構造を提供することを目的とする。
【００１８】
【課題を解決するための手段】
本発明の第一の観点は、一対の線路側端子と、一対の装置側端子とを備えた通信線の保安器であって、本発明の特徴とするところは、前記線路側端子から前記装置側端子に通過する電流の通路に直列に挿入されたヒューズと、このヒューズを中心軸として互いに逆向きに巻かれて並列に接続された二本の抵抗線とを備えたところにある。
【００１９】
すなわち、ヒューズに抵抗線を巻くときに、抵抗線のインダクタンスを打ち消すように、互いに逆向きにして二重に抵抗線を巻き、当該巻線を並列接続することにより、両巻線が発生する磁界を相互に打消し、これにより無誘導形抵抗器を形成する。このような無誘導形抵抗器は、ｘＤＳＬ方式の信号に対して十分な通過特性を有するので、ｘＤＳＬ方式に対応する保安器を実現することができる。
【００２０】
また、本発明の第二の観点は無誘導形ヒューズであって、本発明の特徴とするところは、ヒューズと、このヒューズを中心軸として互いに逆向きに巻かれて並列に接続された二本の抵抗線とを備えたところにある。このような本発明の無誘導形ヒューズを用いて本発明の保安器を実現することができる。
【００２１】
あるいは、本発明は、一対の線路側端子と、一対の装置側端子と、前記線路側端子から前記装置側端子に通過する電流の通路に直列に挿入されたヒューズおよび抵抗器を備えた通信線の保安器である。
【００２２】
ここで、本発明の特徴とするところは、前記直列に挿入されたヒューズおよび抵抗器に対して並列にコンデンサが配置されたところにある。
【００２３】
なお、前記コンデンサの容量値は、当該保安器に要求される絶縁性能から導出される容量値以下であることが望ましい。
【００２４】
すなわち、前記直列に挿入されたヒューズおよび抵抗器により、従来例で説明したように、巻線抵抗器にインダクタンスがあるため、保安器を通過するｘＤＳＬ方式に用いる音声帯域外の信号の通過特性が不十分になったとしても、前記直列に挿入されたヒューズおよび抵抗器に対して並列にコンデンサを配置することにより、ｘＤＳＬ方式に用いる音声帯域外の信号は、このコンデンサを良好に通過するため、保安器におけるｘＤＳＬ方式に用いる音声帯域外の信号の通過特性を改善することができる。
【００２５】
ここで用いるコンデンサは巻線抵抗器のインダクタンスによるインピーダンスに対して十分低いインピーダンスを呈するものであればよく、後述するとおり、１０，０００ｐＦ程度あれば十分である。かかる容量では交流１００Ｖ、６０Ｈｚの電力線との混触が生じた場合においても流れる電流は１００×２×π×６０×１０，０００×１０−１２（Ａ）＝約０．４ｍＡに制限され、例えば電気設備技術基準１４条に規定される１ｍＡ以下の十分な絶縁性能を維持することができる。換言すると、要求される絶縁性能から導出される容量値以下であれば、ここで用いるコンデンサの容量は任意に選定することが出来る。
【００２６】
【発明の実施の形態】
本発明実施例の保安器を図１ないし図８を参照して説明する。図１は本発明第一実施例の保安器の構成図である。図２は本発明第二実施例の保安器の構成図である。図３は本発明第三実施例の無誘導形ヒューズの構成図である。図４は本発明第三実施例の無誘導形ヒューズの等価回路を示す図である。図５は本発明実施例の無誘導形ヒューズの音声帯域外の信号の通過特性を示す図であり、横軸に周波数をとり、縦軸に利得をとる。図６は本発明第四実施例の保安器の構成図である。図７は本発明第五実施例の保安器の構成図である。図８は本発明第四および第五実施例の保安器の音声帯域外の信号の通過特性を示す図であり、横軸に周波数をとり、縦軸に利得をとる。
【００２７】
本発明の第一の観点は、図１および図２に示すように、一対の線路側端子Ｌ１、Ｌ２と、一対の装置側端子Ｉ１、Ｉ２とを備えた通信線の保安器であって、本発明の特徴とするところは、線路側端子Ｌ１、Ｌ２から装置側端子Ｉ１、Ｉ２に通過する電流の通路に直列に挿入されたヒューズＦ１、Ｆ２と、図３および図４に示すように、このヒューズＦ１、Ｆ２を中心軸として互いに逆向きに巻かれて並列に接続された二本の抵抗線ｒ１、ｒ２とを備えたところにある。
【００２８】
本発明の第二の観点は、無誘導形ヒューズであって、本発明の特徴とするところは、図３および図４に示すように、ヒューズＦ１（Ｆ２）と、このヒューズＦ１（Ｆ２）を中心軸として互いに逆向きに巻かれて並列に接続された二本の抵抗線ｒ１、ｒ２とを備えたところにある。
【００２９】
（第一実施例）
本発明第一実施例の保安器を図１を参照して説明する。図１に示す本発明第一実施例の保安器における抵抗器Ｒ１、Ｒ２およびヒューズＦ１、Ｆ２は以下に示す本発明の無誘導形ヒューズを構成する。放電避雷管Ａは、線路側端子Ｌ１、Ｌ２に異常電圧が印加された場合に、線路側端子Ｌ１、Ｌ２を接地に短絡させることにより、装置側端子Ｉ１、Ｉ２に異常電圧が印加されないように保護する。
【００３０】
さらに、第一実施例では、抵抗器Ｒ１、Ｒ２、ヒューズＦ１、Ｆ２、スイッチＳ１、Ｓ２からなる直列回路に対して並列に、二極放電管Ａ１、Ａ２を配置することにより、線路側端子Ｌ１またはＬ２のいずれか一方に異常電圧が印加された場合でも装置側端子Ｉ１、Ｉ２に異常電圧が印加されないように保護することができる。
【００３１】
すなわち、サージ電流は値が小さい場合は抵抗器Ｒ１、Ｒ２およびヒューズＦ１、Ｆ２およびスイッチＳ１、Ｓ２からなる直列回路の経路で通過する。このとき当該直列回路の両端にはサージ電流をＩ（Ａ）、抵抗器Ｒ１、Ｒ２の値Ｒ（Ω）で表すと、Ｉ×Ｒ（Ｖ）の電圧が発生する。この電圧が二極放電管Ａ１、Ａ２の動作電圧以上になると二極放電管Ａ１、Ａ２は電流を通じるようになり、その結果、抵抗器Ｒ１、Ｒ２およびヒューズＦ１、Ｆ２およびスイッチＳ１、Ｓ２からなる直列回路の両端電圧は二極放電管Ａ１、Ａ２の動作電圧Ｖｒに制限される。
【００３２】
また、二極放電管Ａ１、Ａ２の動作によっても抵抗器Ｒ１、Ｒ２およびヒューズＦ１、Ｆ２およびスイッチＳ１、Ｓ２からなる直列回路に異常電圧が漏れる場合には、抵抗器Ｒ１、Ｒ２の発熱によりヒューズＦ１、Ｆ２が断線して装置側端子Ｉ１、Ｉ２への異常電圧の印加を回避することができる。
【００３３】
本発明はインダクタンスによるｘＤＳＬ方式に利用する周波数帯域への影響を除去することを目的とするが、第一実施例の保安器の利点としては、保安器の構成要素に静電容量を有する素子を用いないことを特徴とし、本発明の無誘導形抵抗器を用いてインダクタンスを構成要素から排除するとともに、静電容量についても構成要素から排除してｘＤＳＬ方式に利用する周波数帯域への影響を除去することができる。
【００３４】
例えば、線路側端子Ｌ１、Ｌ２と装置側端子Ｉ１、Ｉ２との間には、回線切り分けのための切分回路ＴＣが挿入される。切分回路ＴＣの動作を説明すると、図１に示すように、通常、スイッチＳ１およびＳ２は、線路側端子Ｌ１、Ｌ２と装置側端子Ｉ１、Ｉ２とを接続している。通信事業者が回線の試験を実施したいときには、線路側端子Ｌ１、Ｌ２を介して切分回路ＴＣに切分信号を送出する。この切分信号を受信した切分回路ＴＣは、スイッチＳ１、Ｓ２を回線試験回路ＴＣ１側に切り換える。これにより、線路側端子Ｌ１、Ｌ２はスイッチＳ１、Ｓ２を介して回線試験回路ＴＣ１に接続され、通信事業者は、回線試験回路ＴＣ１を用いて回線試験を実施することができる。回線試験回路ＴＣ１の詳細については、本発明とは関係がないので説明を省略する。
【００３５】
このような切分回路ＴＣを有する構成の保安器で、もし、二極放電管Ａ１、Ａ２の代わりにバリスタを配置すれば、バリスタが有する静電容量により、スイッチＳ１、Ｓ２を用いて回線切り分けを行った場合にｘＤＳＬ方式に利用する周波数帯域の信号がバリスタを通過して装置側端子Ｉ１、Ｉ２から流出してしまうため、良好な切り分け状態が得られないが、第一実施例の構成では、そのようなことがない。
【００３６】
（第二実施例）
本発明第二実施例の保安器を図２を参照して説明する。図２に示す本発明第二実施例の保安器における抵抗器Ｒ１、Ｒ２およびヒューズＦ１、Ｆ２は以下に示す本発明の無誘導形ヒューズを構成する。放電避雷管Ａは、線路側端子Ｌ１、Ｌ２に異常電圧が印加された場合に、線路側端子Ｌ１、Ｌ２を接地に短絡させることにより、装置側端子Ｉ１、Ｉ２に異常電圧が印加されないように保護する。
【００３７】
さらに、第二実施例では、抵抗器Ｒ１、Ｒ２およびヒューズＦ１、Ｆ２からなる直列回路に対して並列に、バリスタＶ１、Ｖ２を配置することによりヒューズＦ１、Ｆ２に流れる電流を制限するとともに、線路側端子Ｌ１またはＬ２のいずれか一方に異常電圧が印加された場合でも装置側端子Ｉ１、Ｉ２に異常電圧が印加されないように保護することができる。
【００３８】
すなわち、サージ電流は値が小さい場合は抵抗器Ｒ１、Ｒ２およびヒューズＦ１、Ｆ２からなる直列回路の経路で通過する。このとき当該直列回路の両端にはサージ電流をＩ（Ａ）、抵抗器Ｒ１、Ｒ２の値Ｒ（Ω）で表すと、Ｉ×Ｒ（Ｖ）の電圧が発生する。この電圧がバリスタＶ１、Ｖ２の動作電圧以上になるとバリスタＶ１、Ｖ２は電流を通じるようになり、その結果、抵抗器Ｒ１、Ｒ２およびヒューズＦ１、Ｆ２からなる直列回路の両端電圧はバリスタＶ１、Ｖ２の動作電圧Ｖｒに制限される。
【００３９】
また、バリスタＶ１、Ｖ２の動作によっても抵抗器Ｒ１、Ｒ２およびヒューズＦ１、Ｆ２からなる直列回路に異常電圧が漏れる場合には、抵抗器Ｒ１、Ｒ２の発熱によりヒューズＦ１、Ｆ２が断線して装置側端子Ｉ１、Ｉ２への異常電圧の印加を回避することができる。
【００４０】
第二実施例は、回線切り分けを想定しておらず、第一実施例で説明したような回線切り分けに伴う静電容量の影響は問題にならない。
【００４１】
（第三実施例）
本発明第三実施例の無誘導形ヒューズを図３および図４を参照して説明する。図４における二重線は第一巻回部と第二巻回部の磁路が共通なことを示すためのものである。また、各巻線に付した黒点は巻回の始めの部分を表し、巻線に平行して付した矢印は巻回の始めの側から電流が流入したときに発生する磁界（磁力）の方向を示している。
【００４２】
第三実施例の無誘導形ヒューズは、図４に示すように、互いに逆向きに巻かれ第一巻回部と第二巻回部の二本の抵抗線ｒ１、ｒ２が並列に接続された構成である。ヒューズＦ１（Ｆ２）を抵抗線ｒ１、ｒ２を巻くときの中心軸とし、ポイントＰ２を始点として互いに逆向きに二本の抵抗線ｒ１、ｒ２がポイントＰ３方向に巻かれて行き、ポイントＰ３で合流する。配線端子Ｔ１およびＴ２の両巻線は巻回方向が逆である他は同一条件で作成されるため同一抵抗値となっており、したがって並列接続された両巻線には等しい電流が流れる。これにより、従来の無誘導形抵抗器と同様磁力は打消され、インダクタンスの発生は抑制される。
【００４３】
配線端子Ｔ１およびＴ２はそれぞれポイントＰ２およびＰ３に接続される。このような構成では両巻線の各交叉点Ｘ１，Ｘ２，Ｘ３の配線端子Ｔ１すなわちＰ２点からの距離すなわち抵抗値が等しいため、各交叉点Ｘ１，Ｘ２，Ｘ３における両巻線の電位差は等しいものとなる。
【００４４】
したがって、第一巻回部と第二巻回部との間には電位差の発生が無く、両巻回部間には耐圧が不要となる。さらには各交叉点における両巻回部間の電位差が無いため、各交点は接触すなわち導通せしめることも可能である。換言すると、両巻回部間の絶縁は不要とすることが出来る。
【００４５】
（第一〜第三実施例まとめ）
本発明の無誘導形ヒューズの音声帯域外の信号の通過特性を図５に示す。なお、横軸は対数目盛としている。図５によれば、１００ＭＨｚまでは良好な伝送特性を得ることができる。したがって、図１２に示した従来の保安器の音声帯域外の信号の通過特性と比較して、ｘＤＳＬ方式に利用する周波数帯域の信号を良好に通過させることができる。
【００４６】
（第四実施例）
本発明第四実施例の保安器を図６および図８を参照して説明する。第四実施例の保安器は、図６に示すように、一対の線路側端子Ｌ１、Ｌ２と、一対の装置側端子Ｉ１、Ｉ２と、線路側端子Ｌ１、Ｌ２から装置側端子Ｉ１、Ｉ２に通過する電流の通路に直列に挿入されたヒューズＦ１１、Ｆ１２および抵抗器Ｒ１１、Ｒ１２を備えた通信線の保安器である。なお、第四実施例のヒューズＦ１１、Ｆ１２および抵抗器Ｒ１１、Ｒ１２は、本発明の無誘導形ヒューズではない。すなわち抵抗器Ｒ１１、Ｒ１２は、従来のインダクタンスを有する巻線抵抗器である。
【００４７】
ここで、本発明の特徴とするところは、直列に挿入されたヒューズＦ１１、Ｆ１２および抵抗器Ｒ１１、Ｒ１２に対して並列にコンデンサＣ１、Ｃ２が配置されたところにある。
【００４８】
すなわち、直列に挿入されたヒューズＦ１１、Ｆ１２および抵抗器Ｒ１１、Ｒ１２により、従来例で説明したように、巻線抵抗器にインダクタンスがあるため、保安器を通過するｘＤＳＬ方式に用いる音声帯域外の信号の通過特性が不十分になったとしても、直列に挿入されたヒューズＦ１１、Ｆ１２および抵抗器Ｒ１１、Ｒ１２に対して並列にコンデンサＣ１、Ｃ２を配置することにより、ｘＤＳＬ方式に用いる音声帯域外の信号は、このコンデンサＣ１、Ｃ２を良好に通過するため、保安器におけるｘＤＳＬ方式に用いる音声帯域外の信号の通過特性を改善することができる。図８の特性はコンデンサＣ１、Ｃ２の静電容量を１０，０００ｐＦ程度とした場合に対応している。
【００４９】
コンデンサＣ１，Ｃ２の容量値は、抵抗器Ｒ１１、Ｒ１２の抵抗値ＲＲとインダクタンス値ＲＬによって決定される高域遮断特性のコーナー周波数におけるインピーダンスが抵抗器Ｒ１１、Ｒ１２の抵抗値ＲＲと同等以下となるように選定される。抵抗器Ｒ１１、Ｒ１２のインダクタンスとコンデンサは見掛上並列共振回路を構成するがその共振特性は抵抗器Ｒ１１、Ｒ１２の抵抗値ＲＲによって抑制される。
【００５０】
なお、第四実施例は、第二実施例と同様に、回線切り分けを想定しておらず、第一実施例で説明したような回線切り分けに伴う静電容量の影響は問題にならない。したがって、二極放電管Ａ１、Ａ２の代わりに第二実施例で説明したバリスタＶ１、Ｖ２を配置してもよい。
【００５１】
図８に第四実施例の保安器の音声帯域外の信号の通過特性を示す。図８によれば、１００ＭＨｚまでは良好な通過特性を得ることができる。したがって、図１２に示した従来の保安器の音声帯域外の信号の通過特性と比較して、ｘＤＳＬ方式に利用する周波数帯域の信号を良好に通過させることができる。
【００５２】
（第五実施例）
本発明第五実施例の保安器を図７および図８を参照して説明する。第五実施例の保安器は、図７に示すように、一対の線路側端子Ｌ１、Ｌ２と、一対の装置側端子Ｉ１、Ｉ２と、線路側端子Ｌ１、Ｌ２から装置側端子Ｉ１、Ｉ２に通過する電流の通路に直列に挿入されたヒューズＦ１１、Ｆ１２および抵抗器Ｒ１１、Ｒ１２を備えた通信線の保安器である。なお、第五実施例のヒューズＦ１１、Ｆ１２および抵抗器Ｒ１１、Ｒ１２は、本発明の無誘導形ヒューズではない。
【００５３】
ここで、本発明の特徴とするところは、直列に挿入されたヒューズＦ１１、Ｆ１２および抵抗器Ｒ１１、Ｒ１２に対して並列にコンデンサＣ１、Ｃ２が配置されたところにある。
【００５４】
すなわち、直列に挿入されたヒューズＦ１１、Ｆ１２および抵抗器Ｒ１１、Ｒ１２により、従来例で説明したように、巻線抵抗器にインダクタンスがあるため、保安器を通過するｘＤＳＬ方式に用いる音声帯域外の信号の通過特性が不十分になったとしても、直列に挿入されたヒューズＦ１１、Ｆ１２および抵抗器Ｒ１１、Ｒ１２に対して並列にコンデンサＣ１、Ｃ２を配置することにより、ｘＤＳＬ方式に用いる音声帯域外の信号はこのコンデンサＣ１、Ｃ２を良好に通過するため保安器におけるｘＤＳＬ方式に用いる音声帯域外の信号の通過特性を改善することができる。コンデンサＣ１、Ｃ２の静電容量は１０，０００ｐＦ程度とした。
【００５５】
なお、第五実施例は、第一実施例と同様に、回線切り分けを想定しており、切分回路ＴＣによって回線切り分けが行われると、線路側端子Ｌ１とＬ２との間に、図１で示した回線試験回路ＴＣ１がスイッチＳ１およびＳ２を介して挿入される。この場合にもｘＤＳＬ方式に用いる音声帯域外の信号はコンデンサＣ１、Ｃ２を良好に通過するため、通信事業者はｘＤＳＬ方式に用いる音声帯域外の信号による回線試験を行うことができる。
【００５６】
図８に第五実施例の保安器の音声帯域外の信号の通過特性を示す。図８によれば、１００ＭＨｚまでは良好な通過特性を得ることができる。したがって、図１２に示した従来の保安器の音声帯域外の信号の通過特性と比較して、ｘＤＳＬ方式に利用する周波数帯域の信号を良好に通過させることができる。
【００５７】
【発明の効果】
以上説明したように、本発明によれば、通常の通信状態の伝送周波数帯域が、ｘＤＳＬ方式の信号に対して十分な通過特性を有する保安器を実現することができる。
【図面の簡単な説明】
【図１】本発明第一実施例の保安器の構成図。
【図２】本発明第二実施例の保安器の構成図。
【図３】本発明第三実施例の無誘導抵抗器の構成図。
【図４】本発明第三実施例の無誘導抵抗器の等価回路を示す図。
【図５】本発明実施例の無誘導形抵抗器の音声帯域外の信号の通過特性を示す図。
【図６】本発明第四実施例の保安器の構成図。
【図７】本発明第五実施例の保安器の構成図。
【図８】本発明第四および第五実施例の保安器の音声帯域外の信号の通過特性を示す図。
【図９】従来の無誘導形抵抗器の構成図。
【図１０】従来の無誘導形抵抗器の構成図。
【図１１】従来の無誘導形抵抗器の等価回路を示す図。
【図１２】従来の保安器の音声帯域外の信号の通過特性を示す図。
【符号の説明】
Ａ  放電避雷管
Ａ１、Ａ２  二極放電管
Ｃ１、Ｃ２  コンデンサ
Ｆ、Ｆ１、Ｆ２、Ｆ１１、Ｆ１２  ヒューズ
Ｉ１、Ｉ２  装置側端子
Ｌ１、Ｌ２  線路側端子
Ｐ１、Ｐ２、Ｐ３  ポイント
Ｒ、ｒ１、ｒ２  抵抗線
Ｒ１、Ｒ２、Ｒ１１、Ｒ１２  抵抗器
Ｓ１、Ｓ２  スイッチ
ＴＣ  切分回路
ＴＣ１  回線試験回路
Ｔ１、Ｔ２、Ｔ３、Ｔ４  配線端子
Ｖ１、Ｖ２  バリスタ
Ｘ１、Ｘ２、Ｘ３  交叉点
【図１】
0003616369.tif 000002
【図２】
0003616369.tif 000003
【図３】
0003616369.tif 000004
【図４】
0003616369.tif 000005
【図５】
0003616369.tif 000006
【図６】
0003616369.tif 000007
【図７】
0003616369.tif 000008
【図８】
0003616369.tif 000009
【図９】
0003616369.tif 000010
【図１０】
0003616369.tif 000011
【図１１】
0003616369.tif 000012
【図１２】
0003616369.tif 000013